【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】ファイル共有装置、ファイル共有方法、ファイル共有プログラム、およびファイル共有システム
【手続補正２】
【補正対象書類名】明細書
【補正対象項目名】特許請求の範囲
【補正方法】変更
【補正の内容】
【特許請求の範囲】
【請求項１】 ネットワークを介して複数のデータ処理装置から送信されたファイルを共有するファイル共有装置において、
ファイルを保管する複数の保管装置と、
前記複数の保管装置のそれぞれに対応し、受信したファイルを当該保管装置に所定の保管形態で登録する複数の保管処理手段と、
前記複数の保管処理手段を、ネットワークを通して公開される共有のオブジェクトとして設定する共有オブジェクト設定手段と、
を備えたファイル共有装置。
【請求項２】ネットワークを介して接続されたデータ処理装置の画面上に、前記複数の共有オブジェクトをそれぞれアイコンとして表示する表示手段をさらに備え、
前記データ処理装置において登録対象のファイルおよびいずれかの前記アイコンが選択されると、前記アイコンに対応する当該保管処理手段は当該ファイルを受信し登録することを特徴とする請求項１に記載されたファイル共有装置。
【請求項３】 前記の保管形態はファイル形態を含むことを特徴とする請求項１に記載されたファイル共有装置。
【請求項４】 前記の保管処理手段は、登録対象のファイルの保管形態が所定の保管形態と異なる場合に、ファイル形態を所定の保管形態に変換する変換手段を備えることを特徴とする請求項３に記載されたファイル共有装置。
【請求項５】 前記の保管形態はファイルへのアクセス権を含むことを特徴とする請求項１に記載されたファイル共有装置。
【請求項６】複数のデータ処理装置と、複数の保管装置にファイルを保管して共有するファイル共有装置とがネットワークを介して接続されているシステムにおいて、
受信したファイルを前記保管装置に所定の保管形態で登録する複数の保管処理を共有のオブジェクトとして設定し、
前記共有オブジェクトをアイコンとしてデータ処理装置の画面に表示して、
データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録するファイル共有方法。
【請求項７】 複数のデータ処理装置と、複数の保管装置にファイルを保管して共有するファイル共有装置とがネットワークを介して接続されているシステムにおいて、
受信したファイルを前記保管装置に所定の保管形態で登録する複数の保管処理を共有のオブジェクトとして設定するステップと、
前記共有のオブジェクトをアイコンとしてデータ処理装置の画面に表示するステップと、
データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録するステップとをコンピュータに実行させるためのファイル共有プログラム。
【請求項８】 請求項７に記載されたファイル共有プログラムを記録したコンピュータ読み取り可能な記録媒体。
【請求項9】 複数のデータ処理装置と、複数の保管装置にファイルを保管して共有するファイル共有装置とがネットワークを介して接続されているシステムにおいて、
前記ファイル共有装置は、
ファイルを保管する複数の保管装置と、
前記複数の保管装置のそれぞれに対応し、受信したファイルを当該保管装置に所定の保管形態で登録する複数の保管処理手段と、
前記複数の保管処理手段をそれぞれ共有のオブジェクトとして設定する共有オブジェクト設定手段とを備え、
前記データ処理装置は、
前記共有のオブジェクトをアイコンとして表示する表示手段と、
登録対象のファイルおよびいずれかの前記アイコンを選択する選択手段とを備え、
前記データ処理装置において選択された前記アイコンに対応する、前記ファイル共有装置の前記保管処理手段が、所定の保管処理を実行するファイル共有システム。
【手続補正３】
【補正対象書類名】明細書
【補正対象項目名】０００１
【補正方法】変更
【補正の内容】
【０００１】
【発明の属する技術分野】
本発明は、複数のコンピュータが接続されたネットワークにおける、ファイル共有装置、ファイル共有方法、ファイル共有プログラム、およびファイル共有システムに関する。
【手続補正４】
【補正対象書類名】明細書
【補正対象項目名】０００５
【補正方法】変更
【補正の内容】
【０００５】
【課題を解決するための手段】本発明に係るファイル共有装置は、ネットワークを介して複数のデータ処理装置から送信されたファイルを共有するファイル共有装置において、ファイルを保管する複数の保管装置と、前記複数の保管装置のそれぞれに対応し、受信したファイルを当該保管装置に所定の保管形態で登録する複数の保管処理手段と、前記複数の保管処理手段を、ネットワークを通して公開される共有のオブジェクトとして設定する共有オブジェクト設定手段とからなる。
【手続補正５】
【補正対象書類名】明細書
【補正対象項目名】０００６
【補正方法】変更
【補正の内容】
【０００６】
前記のファイル共有装置は、好ましくは、ネットワークを介して接続されたデータ処理装置の画面上に、前記複数の共有オブジェクトをそれぞれアイコンとして表示する表示手段をさらに備え、前記データ処理装置において登録対象のファイルおよびいずれかの前記アイコンが選択されると、前記アイコンに対応する当該保管処理手段は当該ファイルを受信し登録する。
前記のファイル共有装置において、たとえば、前記の保管形態はファイル形態を含む。好ましくは、前記の保管処理手段は、登録対象のファイルの保管形態が所定の保管形態と異なる場合に、ファイル形態を所定の保管形態に変換する変換手段を備える。前記のファイル共有装置において、たとえば、前記の保管形態はファイルへのアクセス権を含む。
【手続補正６】
【補正対象書類名】明細書
【補正対象項目名】０００７
【補正方法】変更
【補正の内容】
【０００７】
本発明に係るファイル共有方法は、複数のデータ処理装置と、複数の保管装置にファイルを保管して共有するファイル共有装置とがネットワークを介して接続されているシステムにおいて、受信したファイルを前記保管装置に所定の保管形態で登録する複数の保管処理を共有のオブジェクトとして設定し、前記共有オブジェクトをアイコンとしてデータ処理装置の画面に表示して、データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録する。
【手続補正７】
【補正対象書類名】明細書
【補正対象項目名】０００８
【補正方法】変更
【補正の内容】
【０００８】
本発明に係るプログラムは、複数のデータ処理装置と、複数の保管装置にファイルを保管して共有するファイル共有装置とがネットワークを介して接続されているシステムにおいて、受信したファイルを前記保管装置に所定の保管形態で登録する複数の保管処理を共有のオブジェクトとして設定するステップと、前記共有のオブジェクトをアイコンとしてデータ処理装置の画面に表示するステップと、データ処理装置より、登録対象のファイルおよびいずれかのオブジェクトのアイコンの選択が指示されると、選択されたアイコンに対応する共有オブジェクトが、選択されたファイルを当該保管装置に所定の保管形態で登録するステップとをコンピュータに実行させるためのファイル共有プログラムである。本発明に係るコンピュータ読み取り可能な記録媒体は、前記のファイル共有プログラムを記録する。
本発明に係るファイル共有システムは、複数のデータ処理装置と、複数の保管装置にファイルを保管して共有するファイル共有装置とがネットワークを介して接続されているシステムにおいて、前記ファイル共有装置は、ファイルを保管する複数の保管装置と、前記複数の保管装置のそれぞれに対応し、受信したファイルを当該保管装置に所定の保管形態で登録する複数の保管処理手段と、前記複数の保管処理手段をそれぞれ共有のオブジェクトとして設定する共有オブジェクト設定手段とを備え、前記データ処理装置は、前記共有のオブジェクトをアイコンとして表示する表示手段と、登録対象のファイルおよびいずれかの前記アイコンを選択する選択手段とを備え、前記データ処理装置において選択された前記アイコンに対応する、前記ファイル共有装置の前記保管処理手段が、所定の保管処理を実行する。